(57)【要約】      （修正有）【課題】仲介部品を廃止してコストを抑制し、かつスイッチ素子の外部作用からの保護を可能とすることで、安価で頑強な製品の提供を可能とする。【解決手段】外部筐体部に設けられた、スライドと回動による蓋２の開閉機構と、前記蓋開閉のロック機構と、前記蓋開閉検知手段とを有し、前記蓋開閉のロック機構は、蓋２に備えられたロックレバーを移動することで解除され、前記蓋開閉検知手段は前記ロックレバーに備えられた突起部と、本体内部に配置された検知スイッチ素子３との当接によるものであり、前記検知スイッチ素子３は前記蓋２のスライド方向を法線とする面に略平行に配置された基板に配置され、かつユーザー操作面近傍に配置された前記検知スイッチ素子３の、外部作用からの保護形状を備えたことを特徴としている。【選択図】図１
2007012882.tif 000002
【特許請求の範囲】
【請求項１】
外装筐体部に設けられた、スライドと回動による蓋の開閉機構と、前記蓋開閉のロック機構と、前記蓋開閉検知手段とを有し、前記蓋開閉のロック機構は、蓋に備えられたロックレバーを移動することで解除され、前記蓋開閉検知手段は前記ロックレバーに備えられた突起部と、本体内部に配置された検知スイッチ素子との当接によるものであり、前記検知スイッチ素子は前記蓋のスライド方向を法線とする面に略平行に配置された基板に配置され、かつユーザー操作面近傍に配置された前記検知スイッチ素子の、外部作用からの保護形状を備えたことを特徴とする携帯型電子機器。
【発明の詳細な説明】
【技術分野】
【０００１】
本発明は携帯型電子機器に関し、特に携帯型電子機器における、回動式蓋の開閉検出手段に関するものである。
【背景技術】
【０００２】
回動式蓋機構における従来の開閉検知方式においては、特許文献１のようなものがある。しかし、この文献のような蓋のスライド方向と蓋の回動軸で形成される面に検知スイッチを配置するようなスペースが無い場合には、蓋のスライド方向に略直交するような面（スライド方向を法線とする面に略平行な面）等に配置する方式が用いられてきた。しかしこのような場合、蓋のスライド方向と検知スイッチが直交するような配置になるため、従来はスイッチと蓋側の接触部材の間に、検知スイッチの保護を兼ねた部品を使用する構成としていた。
【特許文献１】特開２００１−９７４２２号公報
【発明の開示】
【発明が解決しようとする課題】
【０００３】
上記仲介部品を廃止してコストを抑制した場合、スイッチ素子を外部作用等から保護しなければならない。
【０００４】
本出願に係る第一の目的は、上記仲介部品を廃止してコストを抑制し、かつスイッチ素子の外部作用等からの保護を可能とすることで、安価で頑強な製品の提供を可能とする。
【課題を解決するための手段】
【０００５】
上記課題に対し、外部筐体部に設けられた、スライドと回動による蓋の開閉機構と、前記蓋開閉のロック機構と、前記蓋開閉検知手段とを有し、前記蓋開閉のロック機構は、蓋に備えられたロックレバーを移動することで解除され、前記蓋開閉検知手段は前記ロックレバーに備えられた突起部と、本体内部に配置された検知スイッチ素子との当接によるものであり、前記検知スイッチ素子は前記蓋のスライド方向を法線とする面に略平行に配置された基板に配置され、かつユーザー操作面近傍に配置された前記検知スイッチ素子の、外部作用からの保護形状を備えたことを特徴としている。
【発明の効果】
【０００６】
本発明によれば、上記仲介部品を廃止してコストを抑制し、かつスイッチ素子の外部作用からの保護を可能とすることで、安価で頑強な製品の提供を可能とする。
【発明を実施するための最良の形態】
【０００７】
以下本発明を実施するための最良の形態を、実施例により詳しく説明する。
【実施例１】
【０００８】
図１は、本発明における電池蓋を開いた状態の全体斜視図であり、図２は蓋を閉じた状態の図である。電池蓋２は、図２におけるＢ方向へのスライドと、図１におけるシャフト５を中心とした回動による開閉動作となっている。このシャフト５は、電子機器本体の主要な構成部品である電池ＢＯＸ１に固定されている。また開閉動作にはロック機構を用いており、図２におけるロックレバー４を第一のスライド方向であるＡ方向に移動することで、電池蓋２の第二のスライド方向であるＢ方向への移動に対するロックが解除される。
【０００９】
次に前記状態で電池蓋２を第二のスライド方向であるＢ方向に移動させると電池蓋２の回動に対するロックが解除され、シャフト５を中心とした回動が可能となり、図１の電池蓋が開いた状態となる。以下、前記Ａ方向を第一のスライド方向、Ｂ方向を第二のスライド方向と定義する。
【００１０】
次に、電池蓋２の構成について説明する。図３は電池蓋２の構成部品の組込み前の状態を表している。撮像装置本体側の主要な構成部品である電池ＢＯＸ１に固定されるシャフト５に対し、メインプレート２ａが巻きつくように取り付けられ、前記シャフト５に対し回動可能となっている。更にそのメインプレート２ａを挟み込むように電池蓋２、逆接合防止部材２ｂ、接片部材２ｃをビスで共締めすることで、一体となった電池蓋２、逆接合防止部材２ｂ、接片部材２ｃがメインプレート２ａに対しスライド可能となる。またこのときロックレバー４も、電池蓋２とメインプレート２ａに挟み込まれ、図３のＸ方向から見た状態である図４に示すように、電池蓋２に設けられたガイドリブ２ｄによりガイドされ、スライド可能となる。また、ロックレバー４は、ばね６により付勢されている。上記構成から、図２における電池蓋２の第２のスライド方向への移動と、ロックレバー４の第一のスライド方向への移動が可能となっている。
【００１１】
次に、各ロック機構について詳しく説明する。図５、図６、図７は、電池蓋２の構成部品において、便宜的にロックレバー４のみを表し、その他の構成部品は省略している。
【００１２】
図５は電池蓋が閉じている状態であり、この時ロックレバー４に設けたロック部４ａは、電池蓋２の第二のスライド方向に対し電池ＢＯＸ１に設けられたストッパ１ａと当接しているため、電池蓋２は第二のスライド方向への移動が不可能となり、ロック状態となっている。
【００１３】
更に、図８の断面図に示すように、電池ＢＯＸ１に設けつめ部１ｃと、電池蓋２に設けたつめ部２ｅの嵌合により、シャフト５を中心とする回動方向に対しロックがかけられており、電池蓋２は完全にロックされている状態である。以下、この時の状態を、第一のロック状態と定義する。
【００１４】
次にロックレバー４を第一のスライド方向へ、ロック部４ａがストッパ１ａと当接しない位置まで移動し、上述の電池蓋２の第二のスライド方向への移動に対するロックを解除した状態を図６に示す。この時のロック解除状態を、第一のロック解除状態と定義する。この状態で初めて電池蓋２は第二のスライド方向に対し移動可能となる。
【００１５】
更に前記第一のロック解除状態から、電池蓋２を第二のスライド方向へ移動し、図９の断面図に示すように、電池ＢＯＸ１に設けたつめ部１ｃと、電池蓋２に設けたつめ部２ｅの嵌合が外れ、シャフト５を中心とした電池蓋２の回動に対するロックが解除された状態を図７に示す。この状態を、第二のロック解除状態と定義する。この第一のロック解除状態と第二のロック解除状態の間においては、電池ＢＯＸ１に設けたストッパ１ａにロックレバー４のロック部４ａがばね６により第一のスライド方向に対して付勢されるため、ストッパ１ａとロック部４ａは摺動しながら第二のスライド方向に対する移動が可能となる。このため、第二のロック解除位置までストッパ１ａの第二のスライド方向に対する幅を設定することで、スライド式ロックレバー４が第一のスライド方向に対し、第一のロック状態の位置まで移動することはない。
【００１６】
次に、電池蓋２を閉じる時の動作を説明する。図１０は、電池蓋２を閉じる動作の時、電池ＢＯＸ１と接触し始めた状態を表す。このとき、図１０に示すように、ロックレバー４に設けたロック部４ａと、電池ＢＯＸ１に設けたストッパ１ａが当接するように各々構成する。このとき、ロック部４ａには角度を設けておき、ロック部４ａとストッパ１ａが当接開始すると、スライド式ロックレバーに伝達された回動方向の荷重がロックレバー４の第一のスライド方向へ分散し、ロックレバー４が第一のスライド方向へ移動することになる。電池蓋２が電池ＢＯＸ１へ完全に接触すると図７の第二のロック解除状態となり、電池蓋２は第二のスライド方向への移動が可能となる。電池蓋２を第一のロック解除状態まで移動させると、ばね６により付勢されたロックレバー４は第一のロック状態の位置まで移動し、図５の第一のロック状態となり、完全にロックをかけた状態となる。
【００１７】
次に、開閉検出機構について説明する。第二のスライド方向に略垂直な方向（第二のスライド方向を略法線方向とする面）に配置された基板７と、その基板７に実装された検知スイッチ素子３を図１１に表す。この基板７は、電池ＢＯＸ１にビス等で固定される。図５のように、この検知スイッチ素子３のレバー部３ａと、ロックレバー４に設けたスイッチ接触部４ｂが直接当接し、電池蓋２の開閉検知を行う。このロックレバー４のスイッチ触部４ｂは、第一のロック状態と、第一のロック状態から第一のスライド方向への移動時に検知スイッチ３のレバー部３ａと当接、摺動し、検知スイッチ３がＯＮ／ＯＦＦを切り替えられるように配置する。更に第一のロック解除位置においてレバー部３ａとスイッチ接触部４ｂが離れるように構成することで、前述のように、ロックレバー４が第二のスライド方向に対する移動時には、ロックレバー４は第一のロック状態の位置まで戻ることは無いため、スイッチ接触部４ｂとレバー部３ａは干渉することは無い。
【００１８】
また図１１において、この検知スイッチ素子３は、使用者が手を触れることが可能である準外観面１ｄより外側（使用者側）に配置し、電池蓋２を閉じた状態でロックレバー４のスイッチ接触部４ｂと当接できるように十分な掛かり量を備える。
【００１９】
上記構成から、ロックレバー４の第一のロック状態での位置と、第一のロック解除状態での位置の間に検知スイッチ３のＯＮ／ＯＦＦ切り替え点を設定することで、第一のロック状態では電池蓋２が閉じた状態、第一のロック解除状態（第一のロック状態と第一のロック解除状態の間）では電池蓋２が開いた状態の検知が可能となる。
【００２０】
更に、使用者が手を触れることが可能である準外観面１ｄより外側（使用者側）に配置された検知スイッチ素子３の周囲に、使用者等の外部作用から保護する目的で、図１に示すようなスイッチ保護形状１ｂを形成する。このスイッチ保護形状１ｂは、第一のスライド方向の側面に略沿うような形で構成する。
【００２１】
また、前述の検知スイッチ素子３の配置のように、第一のロック解除状態において、ロックレバー４のスイッチ接触部４ｂとスイッチ保護形状１ｂとの第一のスライド方向に対する距離を確保するように配置すれば、電池蓋２の第二のスライド方向に対する移動時にもスイッチ接触部４ｂとスイッチ保護形状１ｂとの干渉は無い。このことから、スイッチ保護形状１ｂは、第一のロック解除状態において第一のスライド方向に対するスイッチ接触部４ｂと当接しない限り、第一のスライド方向へ保護形状を形成することが可能となる。
【００２２】
また、スイッチ保護形状１ｂは、検知スイッチ素子３のレバー部３ａの形状に合わせて斜めにカットしてある。これは、外部作用からの保護効果を十分に備えながら、電池蓋２の第二のスライド方向に対する移動時の、公差等のガタによるスイッチ接触部４ｂとスイッチ保護形状１ｂとの接触を防ぐためのクリアランス確保に効果がある。
【００２３】
また、本実施例では図１に示すように、電池ＢＯＸ１に設けたつめ部１ｃと前記スイッチ保護形状１ｂを一体化して形成している。このことにより、つめ部１ｃとスイッチ保護形状１ｂの強度を大きく保つことが可能となり、またスペース的にも有効である。更には突起部形状が全体的に大きくなるため、ユーザーが触れた時の接触面の圧力は小さくなり、けが等の予防にも効果がある。
【実施例２】
【００２４】
実施例１において、スイッチ保護形状１ｂは検知スイッチ素子３のレバー部３ａの形状に合わせて斜めにカットしているが、これは検知スイッチの配置や形状に合わせた形状にすれば良く、また形状に合わせることなく外部作用からの保護が可能な形状で、前述のロックレバー４のスイッチ接触部４ｂと接触しなければ、どのような形状でも良い。
【実施例３】
【００２５】
実施例１ではつめ部１ｃとスイッチ保護形状１ｂを一体化して形成しているが、別体で形成しても良い。外部からのスイッチの保護に対しては同等の効果がある。スペース的な制約や、回動に対するロック機構を別の手段で構成する場合などは、別体で形成すると良い。別体で形成した際、図１における第一のスライド方向に略直交する面（つめ部１ｃが形成している面）に対し、同様な面を構成しても、または構成しなくても、外部作用からの保護に対しては略同等な効果があるため、この面に関しては構成しても構成しなくてもどちらでも良い。
【実施例４】
【００２６】
上記各実施例において、ロックレバー４は第一のスライド方向に対するスライドを移動手段として備えているが、これは回動手段を備えたロックレバーでも良い。図２におけるＡ、Ｂ方向で形成される面に略平行な面の法線方向を回転軸とした回動手段を有するロックレバーで、上記実施例における第一のスライド方向を前記回動方向とし、前記回動手段によりストッパ１ａとのロック、レバー部３ａとの当接による開閉検知手段を構成することができる。
【図面の簡単な説明】
【００２７】
【図１】本発明における蓋を開いた状態での全体斜視図
【図２】本発明における蓋を閉じた状態での全体斜視図
【図３】電池蓋構成部品を表す図
【図４】図３Ｘ方向から見た図
【図５】第一のロック状態を表す図
【図６】第一のロック解除状態を表す図
【図７】第二のロック解除状態を表す図
【図８】第一のロック状態における電池蓋と電池ＢＯＸの断面図を表す図
【図９】第二のロック解除状態における電池蓋と電池ＢＯＸの断面図を表す図
【図１０】電池蓋を閉じ、電池ＢＯＸと接触し始めた状態を表す図
【図１１】基板と検知スイッチの配置を表した図
【符号の説明】
【００２８】
１    電池ＢＯＸ
１ａ  ストッパ
１ｂ  スイッチ保護形状
１ｃ  つめ部
１ｄ  準外観面
２    電池蓋
２ａ  メインプレート
２ｂ  逆接合防止部材
２ｃ  接片部材
２ｄ  ガイドリブ
２ｅ  つめ部
３    検知スイッチ素子
３ａ  レバー部
４    ロックレバー
４ａ  ロック部
４ｂ  スイッチ接触部
５    シャフト
６    ばね
７    基板
【図１】
2007012882.tif 000003
【図２】
2007012882.tif 000004
【図３】
2007012882.tif 000005
【図４】
2007012882.tif 000006
【図５】
2007012882.tif 000007
【図６】
2007012882.tif 000008
【図７】
2007012882.tif 000009
【図８】
2007012882.tif 000010
【図９】
2007012882.tif 000011
【図１０】
2007012882.tif 000012
【図１１】
2007012882.tif 000013